(57)【特許請求の範囲】
【請求項１】
画像データを取得する画像取得手段と、該画像取得手段が取得した画像データの画像ファイルを記録可能なファイル記録部と、を備える画像記録装置であって、
前記画像ファイルを整理して記録するために用いる整理名として使用可能な文字列情報を取得する文字列取得手段と、
該文字列取得手段が取得した文字列情報から、所定の変更条件を満たすまで同一の文字列情報を含む文字列を前記整理名として使用して画像ファイルの管理を行なうファイル管理手段とを備え、
前記文字列取得手段が取得する文字列情報には所定の日時における利用者の予定を示す予定情報が含まれており、
前記ファイル管理手段は、前記予定情報を利用して作成される文字列情報を前記同一の文字列情報とともに前記整理名の一部として使用する、ことを特徴とする画像記録装置。
【請求項２】
前記文字列取得手段は、
画像ファイル記録時又は作成時の状況を示す状況情報を特定する情報特定手段と、
前記情報特定手段によって特定された状況情報から、画像ファイル記録時又は作成時の状況を示す基本文字列を作成する文字列作成手段とを備え、
前記ファイル管理手段は、前記基本文字列を含む文字列を、前記整理名として使用することを特徴とする請求項１に記載の画像記録装置。
【請求項３】
前記基本文字列に所定の文字列情報である追加文字列を追加する文字列追加手段を備え、
前記ファイル管理手段は、前記基本文字列及び前記追加文字列を含む文字列を前記整理名として使用することを特徴とする請求項２に記載の画像記録装置。
【請求項４】
前記画像ファイルに対して前記整理名が複数存在する場合に、
該複数の整理名の中から所望の整理名を選択する選択手段を備え、
前記ファイル管理手段は、
前記選択手段によって選択された整理名を使用して画像ファイルの管理を行なうことを特徴とする請求項１、２又は３に記載の画像記録装置。
【請求項５】
前記整理名は、前記画像ファイルに付与されるファイル名であり、
前記ファイル管理手段は、
前記整理名に関連する画像ファイルに、前記ファイル名を付与することで画像ファイルの管理を行なうことを特徴とする請求項１から４までのいずれか１項に記載の画像記録装置。
【請求項６】
前記画像ファイルを格納するフォルダを作成するフォルダ作成手段を備え、
前記整理名は、前記フォルダに付与されるフォルダ名であり、
前記ファイル管理手段は、
前記フォルダ作成手段が作成したフォルダに、前記整理名に関連する画像ファイルを格納することで画像ファイルの管理を行なうことを特徴とする請求項１から４までのいずれか１項に記載の画像記録装置。
【請求項７】
前記画像データの作成時における不具合を警告する撮像警告手段を備え、
前記追加文字列は、前記不具合を示す文字列であることを特徴とする請求項３に記載の画像記録装置。
【請求項８】
前記状況情報が複数種類存在する場合において、
装置が使用される地理的範囲の変化を認識する地理的範囲認識手段を備え、
前記情報特定手段は、
前記地理的範囲認識手段が、前記地理的範囲の変化を認識した場合に、
前記地理的範囲の変化前に特定した種類の状況情報を、あらかじめ定められた他の種類の状況情報に特定し直すことを特徴とする請求項２に記載の画像記録装置。
【請求項９】
前記状況情報が複数種類存在する場合において、
所定時間の経過を認識する時間経過認識手段を備え、
前記情報特定手段は、
前記時間経過認識手段が、前記所定時間の経過を認識した場合に、
前記所定時間の経過前に特定した種類の状況情報から、あらかじめ定められた他の種類の状況情報に特定し直すことを特徴とする請求項２に記載の画像記録装置。
【請求項１０】
前記文字列作成手段は、
前記基本文字列を作成するためにあらかじめ設定された文字列作成規則にしたがって、前記基本文字列を作成することを特徴とする請求項２に記載の画像記録装置。
【請求項１１】
画像データを取得する画像取得手段と、該画像取得手段が取得した画像データの画像ファイルを記録可能なファイル記録部とを備える画像記録装置であって、
前記画像記録装置は、前記画像ファイルを整理して記録するために用いる整理名として使用可能な文字列情報を取得する文字列取得手段と、
該文字列取得手段が取得した文字列情報から、所定の変更条件を満たすまで同一の文字列情報を含む文字列を前記整理名として使用して画像ファイルの管理を行なうファイル管理手段と、
前記画像ファイルを格納するフォルダを作成するフォルダ作成手段と、を備え、
前記整理名は、前記フォルダに付与されるフォルダ名であり、
前記文字列取得手段は、
画像ファイル記録時又は作成時の状況を示す状況情報を特定する情報特定手段と、
前記情報特定手段によって特定された状況情報から、画像ファイル記録時又は作成時の状況を示す基本文字列を作成する文字列作成手段とを備えた文字列取得手段であり、
前記画像記録装置は、さらに、前記基本文字列に所定の文字列情報である追加文字列を追加する文字列追加手段を備えており、
前記ファイル管理手段は、前記基本文字列及び前記追加文字列を含む文字列を前記整理名として使用するように構成されており、
前記ファイル管理手段は、前記フォルダ作成手段が作成したフォルダに、前記整理名に関連する画像ファイルを格納することで画像ファイルの管理を行なうように構成されており、
利用者の所在を示す所在情報が前記状況情報であり、装置の状態を示す装置状態情報に対応する所定の文字列情報が前記追加文字列である場合に、
前記ファイル管理手段は、
前記フォルダ作成手段が作成したフォルダが複数存在する場合に、
該複数のフォルダを、
前記文字列作成手段が前記所在情報から作成した、利用者の所在を示す前記基本文字列に対応するフォルダを主フォルダとし、
該基本文字列、及び前記追加文字列に対応するフォルダを従フォルダとすることで、それぞれのフォルダの主従関係を決定する主従関係決定手段を備え、
前記主従関係決定手段が決定した主従関係にしたがって、前記主フォルダの中に該主フォルダに従属する従フォルダを格納していくことで、前記複数のフォルダを階層化することを特徴とする画像記録装置。
【請求項１２】
画像データを取得する画像取得手段と、該画像取得手段が取得した画像データの画像ファイルを記録可能なファイル記録部とを備える画像記録装置であって、
前記画像記録装置は、前記画像ファイルを整理して記録するために用いる整理名として使用可能な文字列情報を取得する文字列取得手段と、
該文字列取得手段が取得した文字列情報から、所定の変更条件を満たすまで同一の文字列情報を含む文字列を前記整理名として使用して画像ファイルの管理を行なうファイル管理手段と、
前記画像ファイルを格納するフォルダを作成するフォルダ作成手段と、を備え、
前記整理名は、前記フォルダに付与されるフォルダ名であり、
前記文字列取得手段は、
画像ファイル記録時又は作成時の状況を示す状況情報を特定する情報特定手段と、
前記情報特定手段によって特定された状況情報から、画像ファイル記録時又は作成時の状況を示す基本文字列を作成する文字列作成手段とを備えた文字列取得手段であり、
前記画像記録装置は、さらに、前記基本文字列に所定の文字列情報である追加文字列を追加する文字列追加手段を備えており、
前記ファイル管理手段は、前記基本文字列及び前記追加文字列を含む文字列を前記整理名として使用するように構成されており、
前記ファイル管理手段は、前記フォルダ作成手段が作成したフォルダに、前記整理名に関連する画像ファイルを格納することで画像ファイルの管理を行なうように構成されており、
所定の日時における利用者の予定を示す予定情報が前記状況情報であり、装置の状態を示す装置状態情報に対応する所定の文字列情報が前記追加文字列である場合に、
前記ファイル管理手段は、
前記フォルダ作成手段が作成したフォルダが複数存在する場合に、
該複数のフォルダを、
前記文字列作成手段が前記予定情報から作成した、所定の日時における利用者の予定を示す前記基本文字列に対応するフォルダを主フォルダとし、
該基本文字列及び前記追加文字列に対応するフォルダを従フォルダとすることで、それぞれのフォルダの主従関係を決定する主従関係決定手段を備え、
前記主従関係決定手段が決定した主従関係にしたがって、前記主フォルダの中に該主フォルダに従属する従フォルダを格納していくことで、前記複数のフォルダを階層化することを特徴とする画像記録装置。
【請求項１３】
画像データを取得する画像取得手段と、該画像取得手段が取得した画像データの画像ファイルを記録可能なファイル記録部とを備える画像記録装置によって実行される画像記録方法であって、
前記画像ファイルを整理して記録するために用いる整理名として使用可能な文字列情報
を取得する文字列取得ステップと、
該文字列取得ステップで取得した文字列情報から、所定の変更条件を満たすまで同一の文字列情報を含む文字列を前記整理名として使用して画像ファイルの管理を行なうファイル管理ステップと、を含み、
前記文字列取得ステップにて取得される文字列情報には所定の日時における利用者の予定を示す予定情報が含まれており、
前記ファイル管理ステップは、前記予定情報を利用して作成される文字列情報を前記同一の文字列情報とともに前記整理名の一部として使用する工程である、ことを特徴とする画像記録方法。
【請求項１４】
請求項１〜１２のいずれか１項に記載の画像記録装置の各手段としてコンピュータを動作させるための画像記録装置の制御プログラム。
【請求項１５】
請求項１４に記載の画像記録装置の制御プログラムを記録したコンピュータ読み取り可能な記録媒体。
【発明の詳細な説明】
【技術分野】
【０００１】
本発明は、画像撮影装置及び画像録画装置などの画像記録装置、制御プログラム、コンピュータ読み取り可能な記録媒体、及び画像記録方法に関するものである。
【背景技術】
【０００２】
コンピュータなどで使用されるデジタル情報としてのデータには、文字コードだけで構成された文字列や文書のデータなどのテキストデータ、音声データ、画像データ、動画データ、及びコンピュータなどを動作させるためのプログラムなど様々な種類のデータがある。
【０００３】
これらの、データのうち画像データ、及び動画データなどを記録するには、比較的大きな記憶容量が必要である。しかし、近年の技術の急速な進歩・発展に伴い記録装置等の記憶容量が幾何級数的に増大し、記録装置の小型化が進み、パーソナルコンピュータに内蔵された記録装置のみならず、デジタルカメラなどの画像撮影装置に内蔵された記録装置においても容易に画像データなどの大きな記憶容量を要するデータを記憶させることができるようになっている。
【０００４】
また、デジタルカメラなどの画像撮影装置に内蔵された記録装置の記録データは、画像撮影装置をパーソナルコンピュータと接続することによって、コンピュータに内蔵された記録装置へのデータ転送なども容易に行えるようになっている。
【０００５】
ところで、最近のＯＳ（Operating System）技術の発展により、ユーザーインターフェースの利便性が著しく増大し、パーソナル・コンピュータでデータを扱うときの基本単位となる、データのまとまりはファイルと呼ばれるものとなっている。このファイルにはファイル名が付き、ファイルの種類を表す拡張子がつくことが多い。
【０００６】
また、ファイルやプログラムなどを保存しておく入れ物のとしてはフォルダと呼ばれるものがあり、このフォルダを利用すると、関連するデータをカテゴリごとに分類したり、ファイルを階層的に管理することができる。
【０００７】
ところで、ユーザーが取り扱うファイルの数は、記憶容量の幾何級数的な増大によって、膨大な数となってきている。これらの膨大な数のファイルの適切な管理は、ファイルの状態をすぐ把握でき、データの破壊や盗難などのトラブルにもすぐ対応できるようにする点で重要な作業である。
【０００８】
ファイルの管理は、上述のように、関連するファイルごとにフォルダに入れて分類したり、フォルダを階層化して管理したりする方法などによって行われているが、ファイルに付されるファイル名や、フォルダに付されるフォルダ名などは、通常、記録時にユーザが直接付与するようになっているので、文字列を打ち込むなど、かなり面倒な作業が必要となる。
【０００９】
このような、ファイルなどの管理に関する従来技術として、特許文献１には、画像データを自動的にアルバムに仕分けして保存する画像再生装置が開示されている。この画像再生装置では、画像データを保存するアルバムのアルバム名は、「年」、「月」、及び「日」の順に階層化されており、画像データは、その撮影日時ごとに、それぞれ該撮影日時に対応するアルバムに仕分けされるようになっている。
【００１０】
また、特許文献２には、撮像者が画像を撮像した際に、直ちにファイル名を入力タブレットから手書きで入力することができるデジタルカメラに関する技術が開示されている。
【特許文献１】特開２００６−１７３９８０号公報（平成１８年６月２９日公開）
【特許文献２】特開２００２−  １６８２８号公報（平成１４年１月１８日公開）
【発明の開示】
【発明が解決しようとする課題】
【００１１】
上述のように、特許文献１に開示された画像再生装置では、アルバム名が年月日によって階層化されたアルバムに、画像ファイルが自動的に仕分けされて保存される。画像ファイルが自動的に整理されてアルバムに仕分けされるので、利用者は画像ファイルのアルバムへの仕分けという面倒な作業を行わなくて済む。
【００１２】
しかしながら、年月日によって階層化されたアルバム名から、画像ファイルの撮影内容を類推することは困難であり、また、時間がたつと、いつ頃、何を撮影したかを忘れてしまうため、結局あとで、画像ファイルを分類しなおす必要が生じてしまうという問題点がある。
【００１３】
さらに、この画像ファイルを分類しなおす作業においては、画像ファイルが、年月日によって階層化されたアルバムに仕分けされていることで、返ってどのアルバムに所望の画像ファイルが入っているかわからないので、所望の画像ファイルを探しださなければならないという状況に陥ってしまうという問題点もある。
【００１４】
一方、上述のように、特許文献２に開示されたデジタルカメラでは、撮像者が画像を撮像した際に、直ちにファイル名を入力タブレットから手書きで入力することができるようになっている。手書きで入力する場合は、キーボードを操作する場合よりも、入力作業は容易に行える。
【００１５】
しかしながら、このようなデジタルカメラでは、撮影の都度ファイル名を直接手書きで入力することになるため利用者がファイル名を自ら考える等の面倒な作業を行なう必要があり、入力作業を手書きで行えるとは言っても、その作業は、ファイルの数が増大するに従って、煩雑になってしまうという問題点がある。
【００１６】
本発明は、上記従来の問題点に鑑みなされたものであって、その目的は、利用者による面倒な文字列の入力作業を可能な限り排除して、ファイルに、ファイル記録時又は作成時の状況を想起し易い文字列を含むファイル名を付与すること或いはフォルダにファイル記録時又は作成時の状況を想起し易い文字列を含むフォルダ名を付与することなどで、ファイル名・フォルダ名などの整理名を使用してファイルをわかりやすく整理してファイルの管理を行なうことのできる画像記録装置などを提供することにある。
【課題を解決するための手段】
【００１７】
本発明の画像記録装置は、前記課題を解決するために、画像データを取得する画像取得手段と、該画像取得手段が取得した画像データの画像ファイルを記録可能なファイル記録部とを備える画像記録装置であって、前記画像ファイルを整理して記録するために用いる整理名として使用可能な文字列情報を取得する文字列取得手段と、該文字列取得手段が取得した文字列情報から、所定の変更条件を満たすまで同一の文字列情報を含む文字列を前記整理名として使用して画像ファイルの管理を行なうファイル管理手段とを備えることを特徴としている。
【００１８】
また、本発明の画像記録方法は、前記課題を解決するために、画像データを取得する画像取得手段と、該画像取得手段が取得した画像データの画像ファイルを記録可能なファイル記録部とを備える画像記録装置によって実行される画像記録方法であって、前記画像ファイルを整理して記録するために用いる整理名として使用可能な文字列情報を取得する文字列取得ステップと、該文字列取得ステップで取得した文字列情報から、所定の変更条件を満たすまで同一の文字列情報を含む文字列を前記整理名として使用して画像ファイルの管理を行なうファイル管理ステップと実行することを特徴としている。
【００１９】
前記構成又は方法においては、画像記録装置は、画像データを取得する画像取得手段と、該画像取得手段が取得した画像データの画像ファイルを記録可能なファイル記録部とを備える。なお、画像取得手段の例としては、例えば、カメラ、ＶＴＲ（Video tape recorder）、及びＤＶＤ（Digital Versatile Disc）レコーダなどが考えられ、また、画像データを取得・作成する方法としては、画像の「撮影」、及び画像の「録画」などの方法が考えられる。
【００２０】
また、ファイル記録部の例としては、画像取得手段が取得（撮影）した画像ファイルを記録可能なものであれば、どのような装置、回路、素子などを採用しても良い。例えば、ＲＡＭ（random access memory）、ハードディスク、及びフロッピー（登録商標）ディスクなどで構成することができる。
【００２１】
また、前記構成又は方法においては、文字列取得手段又は文字列取得ステップで前記画像ファイルを整理して記録するために用いる整理名として使用可能な文字列情報を取得する。
【００２２】
また、前記構成又は方法においては、ファイル管理手段又はファイル管理ステップで、該文字列取得手段が取得した文字列情報から、所定の変更条件が満たすまで同一の文字列情報を含む文字列を前記整理名として使用して画像ファイルの管理を行なう。
【００２３】
ここで、「所定の変更条件」とは、所定の時間条件、及びユーザが所定の意思表示を示すことを条件とするなど、文字列情報を変更するタイミングとして予め定めておくことが可能な条件であればどのような条件を採用しても構わない。具体的には、「ユーザによる文字列情報の入力があったこと」という条件、「ユーザによるＱＲコードの撮影があったこと」という条件、及び「ユーザが駅の改札口を通過してＲＦＩＤ使用履歴が更新されたこと」という条件などが考えられる。
【００２４】
また、所定の時間条件などは、必要に応じて適宜定めれば良いが、具体的には、例えば、ファイル記録時または作成時或いはファイル名称変更時などが挙げられる。また、これらの条件は適宜組合せて定められていても良い。
【００２５】
また、本発明の画像記録装置は、前記構成に加えて、前記文字列取得手段は、画像ファイル記録時又は作成時の状況を示す状況情報を特定する情報特定手段と、前記情報特定手段によって特定された状況情報から、画像ファイル記録時又は作成時の状況を示す基本文字列を作成する文字列作成手段とを備え、前記ファイル管理手段は、前記基本文字列を含む文字列を、前記整理名として使用することが好ましい。
【００２６】
ここで、「状況情報」の例としては、利用者の所在を示す所在情報、所定の日時における利用者の予定を示す予定情報、装置の利用者に配信されるコンテンツ、及び装置の状態を示す装置状態情報などの各種情報が考えられる。
【００２７】
例えば、所在情報を利用すれば、利用者が所在している場所由来の文字列を考えて入力作業を行うという面倒な作業をなくすことができる。予定情報を利用すれば、予定情報に従って行動している限り、所定の日時における利用者の行動を示す文字列を考えて入力作業を行うという面倒な作業をなくすことができる。
【００２８】
配信されるコンテンツを利用すれば、装置の利用者に配信されるコンテンツに関する文字列を考えて入力作業を行うという面倒な作業をなくすことができる。装置状態情報を利用すれば、装置の状態から文字列を考えて入力作業を行うという面倒な作業をなくすことができる。また、利用者は、装置状態情報から装置の状態を認識することもできる。
【００２９】
また、文字列作成手段は、情報特定手段によって特定された状況情報から、画像ファイル記録時又は作成時の状況を示す基本文字列を作成する。
【００３０】
それゆえ、利用者がファイル記録時又は作成時の状況から文字列を考え、キースイッチ等で入力するなどという面倒な作業をなくすことができる。
【００３１】
また、ファイル管理手段は、文字列作成手段によって作成された、基本文字列を含む文字列を、前記画像ファイルを整理して記録するために用いる整理名として使用して画像ファイルの管理を行なう。
【００３２】
ここで、「基本文字列を含む文字列を整理名として使用して画像ファイルの管理を行なう」とは、例えば、関連する画像ファイルにファイル名を付与することで、画像ファイルを整理・管理すること、或いは、作成したフォルダにフォルダ名を付与し、該フォルダに関連する画像ファイルを格納することで、画像ファイルを整理・管理すること、該フォルダを階層化することで画像ファイルを整理・管理することなどが考えられる。
【００３３】
すなわち、本発明の画像記録装置は、前記構成に加えて、前記整理名は、前記画像ファイルに付与されるファイル名であり、前記ファイル管理手段は、前記整理名に関連する画像ファイルに、前記ファイル名を付与することで画像ファイルの管理を行なっても良い。
【００３４】
前記構成によれば、利用者による面倒な文字列の入力作業を可能な限り排除して画像ファイルにファイル名を付与してファイル管理を行なうことができ、ユーザの利便性が向上する。
【００３５】
また、本発明の画像記録装置は、前記構成に加えて、前記画像ファイルを格納するフォルダを作成するフォルダ作成手段を備え、前記整理名は、前記フォルダに付与されるフォルダ名であり、前記ファイル管理手段は、前記フォルダ作成手段が作成したフォルダに、前記整理名に関連する画像ファイルを格納することで画像ファイルの管理を行なっても良い。
【００３６】
前記構成によれば、利用者による面倒な文字列の入力作業を可能な限り排除して、フォルダにフォルダ名を付与し、該フォルダに関連する画像ファイルを格納することが可能となり、ファイル管理の利便性が向上する。
【００３７】
なお、基本文字列を「含む文字列情報」としているのは、ファイル名やフォルダ名などの整理名には、例えば、拡張子などの基本文字列以外の文字列情報が含まれている場合が想定されるからである。
【００３８】
以上によれば、利用者が文字列の入力作業を行ってファイル名やフォルダ名を付与するなどという面倒な作業を行うことなくファイルを整理・管理することができ、利用者の利便性を向上させることができる。
【００３９】
以上より、利用者による面倒な文字列の入力作業を可能な限り排除して、ファイルに、ファイル記録時又は作成時の状況を想起し易い文字列を含むファイル名を付与すること或いはフォルダにファイル記録時又は作成時の状況を想起し易い文字列を含むフォルダ名を付与することなどで、ファイル名・フォルダ名などの整理名を使用してファイルをわかりやすく整理してファイルの管理を行なうことのできる画像記録装置などを提供することができる。
【００４０】
また、本発明の画像記録装置は、前記構成に加えて、前記画像ファイルに対して前記整理名が複数存在する場合に、該複数の整理名の中から所望の整理名を選択する選択手段を備え、前記ファイル管理手段は、前記選択手段によって選択された整理名を使用して画像ファイルの管理を行なうことが好ましい。
【００４１】
前記構成によれば、整理名が複数存在する場合に、該複数の整理名の中から所望の文字列情報を選択することができ、利用者の利便性をさらに向上させることができる。
【００４２】
また、本発明の画像記録装置は、前記基本文字列に所定の文字列情報である追加文字列を追加する文字列追加手段を備え、前記ファイル管理手段は、前記基本文字列及び前記追加文字列を含む文字列を、前記整理名として使用することが好ましい。
【００４３】
また、本発明の画像記録装置は、前記構成に加えて、前記画像データ作成時の不具合を警告する撮像警告手段を備え、前記追加文字列は、前記不具合を示す文字列であることが好ましい。
【００４４】
前記構成によれば、前記画像データ作成時に撮像警告手段による警告があると、不具合を示す文字列情報である追加文字列が、前記基本文字列に追加される。従って、撮影警告があった画像ファイルと撮影警告の無かった画像ファイルとを簡単に見分けることが可能となり、利用者の利便性が向上させることができる。
【００４５】
また、本発明の画像記録装置は、前記構成に加えて、利用者の所在を示す所在情報が前記状況情報であり、装置の状態を示す装置状態情報に対応する所定の文字列情報が前記追加文字列である場合に、前記ファイル管理手段は、前記フォルダ作成手段が作成したフォルダが複数存在する場合に、該複数のフォルダを、前記文字列作成手段が前記所在情報から作成した、利用者の所在を示す前記基本文字列に対応するフォルダを主フォルダとし、該基本文字列、及び前記追加文字列に対応するフォルダを従フォルダとすることで、それぞれのフォルダの主従関係を決定する主従関係決定手段を備え、前記主従関係決定手段が決定した主従関係にしたがって、前記主フォルダの中に該主フォルダに従属する従フォルダを格納していくことで、前記複数のフォルダを階層化することが好ましい。
【００４６】
また、本発明の画像記録装置は、前記構成に加えて、所定の日時における利用者の予定を示す予定情報が前記状況情報であり、装置の状態を示す装置状態情報に対応する所定の文字列情報が前記追加文字列である場合に、前記ファイル管理手段は、前記フォルダ作成手段が作成したフォルダが複数存在する場合に、該複数のフォルダを、前記文字列作成手段が前記予定情報から作成した、所定の日時における利用者の予定を示す前記基本文字列に対応するフォルダを主フォルダとし、該基本文字列及び前記追加文字列に対応するフォルダを従フォルダとすることで、それぞれのフォルダの主従関係を決定する主従関係決定手段を備え、前記主従関係決定手段が決定した主従関係にしたがって、前記主フォルダの中に該主フォルダに従属する従フォルダを格納していくことで、前記複数のフォルダを階層化することが好ましい。
【００４７】
前記構成によれば、利用者の所在を示す所在情報が前記状況情報であり、装置の状態を示す装置状態情報に対応する所定の文字列情報が前記追加文字列である場合や、所定の日時における利用者の予定を示す予定情報が前記状況情報であり、装置の状態を示す装置状態情報に対応する所定の文字列情報が前記追加文字列である場合に、複数のフォルダが階層化されるので、利用者が複数のフォルダを階層化して整理するという面倒な作業を行う必要がなく、利用者の利便性をさらに向上させることができる。
【００４８】
また、利用者の所在又は所定の日時における利用者の予定のように利用者に関するものを主フォルダとし、装置の状態のように装置に関するものを従フォルダとしているので、利用者にとってファイルをわかりやすく整理することができる。
【００４９】
なお、「主フォルダ」とは、ルートフォルダとも呼ばれ、「従フォルダ」のフォルダ名よりも上位概念のフォルダ名を有するフォルダのことである。
【００５０】
また、「従フォルダ」とは、サブフォルダとも呼ばれ、「主フォルダ」のフォルダ名よりも下位概念のフォルダ名を有するフォルダのことである。
。
【００５１】
また、本発明の画像記録装置は、前記構成に加えて、前記状況情報が複数種類存在する場合において、装置が使用される地理的範囲の変化を認識する地理的範囲認識手段を備え、前記情報特定手段は、前記地理的範囲認識手段が、前記地理的範囲の変化を認識した場合に、前記地理的範囲の変化前に特定した種類の状況情報を、あらかじめ定められた他の種類の状況情報に特定し直すことが好ましい。
【００５２】
前記構成によれば、地理的範囲認識手段は、装置が使用される地理的範囲の変化を認識し、情報特定手段は、前記地理的範囲の変化を認識した場合に、前記地理的範囲の変化前に特定した種類の状況情報を、あらかじめ定められた他の種類の状況情報に特定し直す。
【００５３】
それゆえ、装置が使用される地理的範囲が変化した場合に、所望の種類の状況情報に特定し直すことができ、利用者の利便性をさらに向上させることができる。
【００５４】
また、本発明の画像記録装置は、前記構成に加えて、前記状況情報が複数種類存在する場合において、所定時間の経過を認識する時間経過認識手段を備え、前記情報特定手段は、前記時間経過認識手段が、前記所定時間の経過を認識した場合に、前記所定時間の経過前に特定した種類の状況情報から、あらかじめ定められた他の種類の状況情報に特定し直すことが好ましい。
【００５５】
前記構成によれば、時間経過認識手段は、所定時間の経過を認識し、情報特定手段は、前記所定時間の経過を認識した場合に、前記所定時間の経過前に特定した種類の状況情報から、あらかじめ定められた他の種類の状況情報に特定し直す。
【００５６】
それゆえ、所定時間が経過した場合に、所望の種類の状況情報に特定し直すようにすることができ、利用者の利便性をさらに向上させることができる。
【００５７】
また、本発明の画像記録装置は、前記構成に加えて、前記文字列作成手段は、前記基本文字列を作成するためにあらかじめ設定された文字列作成規則にしたがって、前記文字列情報を作成することが好ましい。
【００５８】
前記構成によれば、利用者は、あらかじめ所望の文字列作成規則を設定しておくことが可能となるため、利用者の利便性をさらに向上させることができる。
【００５９】
なお、前記画像記録装置は、コンピュータによって実現してもよく、この場合には、コンピュータを上記各手段として動作させることにより前記画像記録装置をコンピュータにて実現させるの制御プログラム、およびそれを記録したコンピュータ読み取り可能な記録媒体も、本発明の範疇に入る。
【発明の効果】
【００６０】
本発明の画像記録装置は、以上のように、画像データを取得する画像取得手段と、該画像取得手段が取得した画像データの画像ファイルを記録可能なファイル記録部とを備える画像記録装置であって、前記画像ファイルを整理して記録するために用いる整理名として使用可能な文字列情報を取得する文字列取得手段と、該文字列取得手段が取得した文字列情報から、所定の変更条件を満たすまで同一の文字列情報を含む文字列を前記整理名として使用して画像ファイルの管理を行なうファイル管理手段とを備えるものである。
【００６１】
また、本発明の画像記録方法は、以上のように、画像データを取得する画像取得手段と、該画像取得手段が取得した画像データの画像ファイルを記録可能なファイル記録部とを備える画像記録装置によって実行される画像記録方法であって、前記画像ファイルを整理して記録するために用いる整理名として使用可能な文字列情報を取得する文字列取得ステップと、該文字列取得ステップで取得した文字列情報から、所定の変更条件を満たすまで同一の文字列情報を含む文字列を前記整理名として使用して画像ファイルの管理を行なうファイル管理ステップとを実行する方法である。
【００６２】
それゆえ、利用者による面倒な文字列の入力作業を可能な限り排除して、ファイルに、ファイル記録時又は作成時の状況を想起し易い文字列を含むファイル名を付与すること或いはフォルダにファイル記録時又は作成時の状況を想起し易い文字列を含むフォルダ名を付与することなどで、ファイル名・フォルダ名などの整理名を使用してファイルをわかりやすく整理してファイルの管理を行なうことのできる画像記録装置などを提供することができるという効果を奏する。
【発明を実施するための最良の形態】
【００６３】
本発明の一実施形態について図１ないし図１３に基づいて説明すれば、以下の通りである。
【００６４】
〔１．画像撮影装置の構成〕
まず、図１及び図２に基づき、本発明の一実施形態である画像撮影装置（画像記録装置）５０（ファイル管理装置（画像記録装置）３０）の構成について説明する。なお、ここでは、電子機器の例として、画像撮影装置の例を示すが、電子機器の例としては、画像撮影装置に限定されず、例えば、画像録画装置など画像ファイルを記録できる装置であれば、どんな電子機器であっても良い。
【００６５】
図１は、画像撮影装置５０の実施の一形態を示す機能ブロック図である。図２は、画像撮影装置５０におけるファイル整理部４の構成を示す機能ブロック図である。
【００６６】
画像撮影装置５０は、撮影画像１９（画像ファイル）を記録する記録部（ファイル記録部）１を備え、記録部１に記録される撮影画像１９の整理・管理を行なうものであり、図１に示すように、情報特定部（情報特定手段、文字列取得手段）２、文字列作成部（文字列作成手段、文字列取得手段）３、ファイル整理部（ファイル管理手段）４、入力装置５、インターフェース部６、受信部７、操作部（選択手段）８、撮影警告認識部（撮影警告手段）９、日時・位置情報管理部（地理的範囲認識手段、及び時間経過認識手段）１０、日時・位置情報認識部（地理的範囲認識手段、及び時間経過認識手段）１１、表示部１２、カメラ（画像取得手段）１３、及び画像データ処理部１４を備える構成である。
【００６７】
記録部１は、画像撮影装置５０の処理の用に供される様々な情報が記録される部分であり、カメラ１３が取得（撮影）した撮影画像１９を記録可能なものであれば、どのような装置、回路、素子などを採用しても良い。例えば、ＲＡＭ（random access memory）、ハードディスク、及びフロッピー（登録商標）ディスクなどで構成することができる。
【００６８】
記録部１に記録される情報としては、入力・記録・受信情報（状況情報、所在情報、予定情報）１５、状況情報（状況情報、所在情報、予定情報）１６、文字列作成規則１７、文字列（基本文字列、追加文字列、文字列情報、ファイル名、及びフォルダ名）１８、撮影画像１９、ファイル・フォルダ（画像ファイル、フォルダ、主フォルダ、従フォルダ）２０、及び日時・位置情報２１などがある。
【００６９】
ここで、まず記録部１に記録され、画像撮影装置５０で取り扱われる各種情報の内容について説明する。
【００７０】
入力・記録・受信情報１５は、撮影画像１９が記録又は撮影（作成）される時（ファイル記録時又は作成時）の状況を示す状況情報１６の例であり、利用者の所在を示す所在情報（ＱＲコードなど）、所定の日時における利用者の予定を示す予定情報（スケジュール情報など）、装置の利用者に配信されるコンテンツ、及び装置の状態を示す装置状態情報（撮影警告、撮影モードなど）などの各種情報が考えられる。
【００７１】
状況情報１６は、例えば、入力装置５によって、入力される情報、記録部１にあらかじめ記録されている情報、及び受信部７で受信される情報に分けられる。
【００７２】
入力装置５によって入力される情報の例としては、画像撮影装置５０のユーザ（利用者）の所在を示す所在情報が挙げられ、例えばＱＲコード（Quick Response code）撮影によって画像撮影装置５０に入力されるＱＲコード（所在情報）などが考えられる。
【００７３】
ＱＲコードは、２次元バーコードの一種であり。縦方向と横方向とに情報をもたせ、数字、英字、漢字、カナ、ひらがな、記号、バイナリー（２進数）、制御コード等のデータを扱うものである。ＱＲコードは、携帯電話等で読み取ることができ、イベント会場の看板などに付される場合などが考えられる。
【００７４】
本実施形態では、ユーザが、画像撮影装置５０で読み取ったＱＲコードに対応するイベント会場に滞在している状況にあり、このイベント会場において画像撮影装置５０で画像を撮影し、その撮影画像１９を記録する場合を想定する。この場合のファイル記録時又は作成時の状況は、ユーザがこのイベント会場に滞在しているという状況を示し、この状況を示す状況情報がＱＲコードに該当する。
【００７５】
このような、ＱＲコードを利用して、以下で説明する文字列（基本文字列・追加文字列）１８を作成・記憶させておけば、利用者が所在している場所由来の文字列を考えて入力作業を行うという面倒な作業をなくすことができる。
【００７６】
なお、入力される情報の他の例としては、撮影警告認識部（撮影警告手段）９が認識する画像撮影装置５０の状態を示す装置状態情報などが考えられる。例えば、画像を撮影する際に、ユーザに手ぶれなどの撮影警告が通知（警告）されるような場合を想定している。具体的には、手ぶれを検出するセンサーから電気信号（装置状態情報）が発生したとすると、該電気信号が、装置状態情報である。この場合のファイル記録時又は作成時の状況は、ユーザの画像撮影時（ファイル記録時）に手ぶれが生じていたという状況を示し、この状況を示す状況情報が、装置状態情報である電気信号に該当する。
【００７７】
このような電気信号を利用して文字列１８を作成すれば、装置の状態から文字列を考えて入力作業を行うという面倒な作業をなくすことができる。また、利用者は、電気信号から作成した文字列１８から装置の状態を認識することもできる。
【００７８】
次に、記録部１にあらかじめ記録される情報の例としては、所定の日時におけるユーザの予定を示す予定情報としてスケジュール情報（予定情報）などが挙げられる。ここで、ユーザが所定の日時において運動会に参加するスケジュール情報を記録している場合を考える。この場合、ユーザがスケジュール情報に従って行動しているとすると、ユーザは、所定の日時には運動会に参加しているはずである。この場合のファイル記録時又は作成時の状況は、ユーザが運動会に参加しているであろう状況を示し、この状況を示す状況情報が、スケジュール情報に該当する。
【００７９】
スケジュール情報を利用して文字列１８を作成すれば、ユーザが予定情報に従って行動している限り、所定の日時における利用者の行動を示す文字列を考えて入力作業を行うという面倒な作業をなくすことができる。
【００８０】
受信部７で受信される情報としては、ＲＦＩＤ（Radio Frequency Identification）使用履歴によって通知されるユーザの駅利用状況を示す情報や、ユーザに配信されるコンテンツなどが考えられる。
【００８１】
ＲＦＩＤは、電波による認証技術の総称であり、多くの場合、ＩＣ（Integrated Circuit）チップを利用した非接触認証技術のことを言う。また、無線ＩＣ、ＩＣタグ（小型ＩＣチップを組み込んだ荷札）、ＲＦタグ（Radio Frequency tag）などと呼ぶこともある。本実施形態では、画像撮影装置５０がＲＦタグを内蔵しており、所定の駅の改札口の改札機が該ＲＦタグが送信するＲＦＩＤを受信して、通過するユーザを識別し、前記改札機が、利用者の駅利用状況示す情報を前記ＲＦタグを備えた画像撮影装置５０に通知することで利用者の駅利用状況示すＲＦＩＤ使用履歴が記録されるという状況を想定している。
【００８２】
すなわち、ＲＦＩＤ使用履歴を利用すれば、前記所定の駅又はその付近にユーザが存在しているという状況を知ることができる。そうすると、ファイル記録時又は作成時に、ユーザは、所定の駅の近くに存在しているという状況にある。よって、この場合のファイル記録時又は作成時の状況とは、ユーザが、所定の駅の近くに存在しているという状況を示し、この状況を示す状況情報が、ＲＦＩＤ使用履歴に該当する。
【００８３】
ユーザに配信されるコンテンツとしては、テレビ放送番組などが例示できるが、ここでは、ユーザが該テレビ放送番組を録画したいと思っている場合について考える。この場合のファイル記録時又は作成時の状況は、ユーザが、配信されるテレビ放送番組を録画する時（ファイル記録時）の状況を示し、この状況を示す状況情報は、ユーザに配信されるテレビ放送番組が該当する。
【００８４】
なお、ユーザが不在の場合に前記テレビ放送番組の録画予約をするような場合でも、ファイル記録時に前記テレビ放送が配信されていることに変わりないので、このような場合であっても、前記テレビ放送番組はファイル記録時の状況を示す状況情報と考えることができる。このような、配信されるコンテンツを利用して文字列１８を作成すれば、装置の利用者に配信されるコンテンツに関する文字列を考えて入力作業を行うという面倒な作業をなくすことができる。
【００８５】
状況情報１６は、情報特定部２が入力・記録・受信情報１５から特定し、記録部１に記録した状況情報であり、上述のように様々な情報が考えられる。
【００８６】
文字列作成規則１７は、情報特定部２が特定した状況情報１６から文字列１８を作成するためにあらかじめ設定されるものである。例えば、情報特定部２が特定する状況情報１６の種類が複数存在する場合に、どのような手順で、どの状況情報１６を用いて文字列１８を作成するかについてあらかじめ設定できるようにしておく。
【００８７】
文字列１８は、撮影画像１９の記録時又は作成時の状況を示す文字列情報又は、予め記録されている所定の文字列情報である追加文字列を含んでいる。なお、文字列１８は、大きく分けて２種類の文字列情報があり、撮影画像１９の記録時又は作成時の状況を示す文字列情報である基本文字列と、基本文字列に追加される所定の文字列情報である追加文字列とがある。
【００８８】
撮影画像１９は、ユーザが画像撮影装置５０で撮影した画像ファイルである。ファイル・フォルダ２０は、ファイル整理部４のファイル名付与部４１によってファイル名を付与された撮影画像１９や、撮影画像１９を格納するためにファイル整理部４のフォルダ作成部（フォルダ作成手段）４２によって作成されたフォルダである。
【００８９】
日時・位置情報２１は、日時・位置情報管理部１０によって管理される情報であり、画像撮影装置５０が使用される日時を示す日時情報や、画像撮影装置５０が使用される場所を示す位置情報などが該当する。なお、位置情報は、ＧＰＳ（Global Positioning System）などで特定すれば良い。
【００９０】
次に、画像撮影装置５０を構成する他の要素について説明する。情報特定部２は、画像撮影装置５０の撮影画像１９を保存（記録）又は撮影する時（以下「ファイル記録時又は作成時」と記載する）の状況を示す状況情報を特定するものである。これにより、装置の利用者が、ファイル記録時又は作成時の状況を考慮してファイル名として用いる文字列を考えるという面倒な作業をなくすことができる。
【００９１】
文字列作成部３は、情報特定部２が特定した状況情報から、ファイル記録時又は作成時の状況を示す文字列（基本文字列）１８を作成するものである。
【００９２】
この、文字列作成部３により、ユーザがファイル記録時又は作成時の状況から文字列を考え、キーボード等で入力するなどという面倒な作業をなくすことができる。
【００９３】
なお、文字列作成部３は、情報特定部２が特定した状況情報１６から文字列（基本文字列）１８を作成するためにあらかじめ設定された文字列作成規則１７にしたがって、文字列１８を作成することが好ましい。以上によれば、ユーザは、あらかじめ所望の文字列作成規則１７を設定しておくことが可能となるため、ユーザの利便性をさらに向上させることができる。
【００９４】
ファイル整理部（ファイル管理手段）４は、文字列作成部（文字列取得手段）３が作成（取得）した文字列情報から、所定の変更条件を満たすまで同一の文字列情報を含む文字列を前記整理名として使用して（文字列作成部３が作成した文字列（基本文字列）１８及び／又は文字列追加部４４によって追加される文字列（追加文字列）１８を、ファイル名として付与したり、フォルダを作成したり、及び複数のフォルダを階層化したりして）撮影画像１９の管理を行なうものであり、図２に示すように、ファイル名付与部４１、フォルダ作成部４２、主従関係決定部４３、及び文字列追加部４４を備えるものである。
【００９５】
ここで、「所定の変更条件」とは、所定の時間条件、及びユーザが所定の意思表示を示すことを条件とするなど、文字列情報を変更するタイミングとして予め定めておくことが可能な条件であればどのような条件を採用しても構わない。具体的には、「ユーザによる文字列情報の入力があったこと」という条件、「ユーザによるＱＲコードの撮影があったこと」という条件、及び「ユーザが駅の改札口を通過してＲＦＩＤ使用履歴が更新されたこと」という条件などが考えられる。
【００９６】
また、所定の時間条件などは、必要に応じて適宜定めれば良いが、具体的には、例えば、ファイル記録時または作成時或いはファイル名称変更時などが挙げられる。また、これらの条件は適宜組合せて定められていても良い。
【００９７】
なお、整理名は、撮影画像１９に付与されるファイル名とし、ファイル整理部４は、整理名に関連する撮影画像１９に、ファイル名を付与することで撮影画像１９の管理を行なうことが好ましい。
【００９８】
これにより、利用者による面倒な文字列の入力作業を可能な限り排除して、撮影画像１９に、ファイル記録時又は作成時の状況を想起し易い文字列を含むファイル名を付与することで撮影画像１９の整理・管理を行なうことが可能となる。
【００９９】
また、画像撮影装置５０は、撮影画像１９を格納するフォルダを作成するフォルダ作成部４２を備え、整理名は、フォルダに付与されるフォルダ名であり、ファイル整理部４は、フォルダ作成部４２が作成したフォルダに、整理名に関連する撮影画像１９を格納することで撮影画像１９の整理・管理を行なうことが好ましい。
【０１００】
これにより、利用者による面倒な文字列の入力作業を可能な限り排除して、フォルダに、ファイル記録時又は作成時の状況を想起し易い文字列を含むフォルダ名を付与し、該フォルダに関連する撮影画像１９を格納することで撮影画像１９の整理・管理を行なうことが可能となる。
【０１０１】
ここで、「文字列１８を含む文字列を整理名として使用して撮影画像１９の管理を行なう」とは、例えば、関連する撮影画像１９にファイル名（整理名）を付与することで、撮影画像１９を整理・管理すること、或いは、作成したフォルダにフォルダ名（整理名）を付与し、該フォルダに関連する撮影画像１９を格納することで、撮影画像１９を整理・管理すること、該フォルダを階層化することで撮影画像１９を整理・管理することなどが考えられる。
【０１０２】
なお、「文字列１８を含む文字列情報としているのは、ファイル名やフォルダ名などの整理名には、例えば、拡張子などの文字列１８以外の文字列情報が含まれている場合が想定されるからである。
【０１０３】
ファイル整理部４によれば、利用者が文字列の入力作業を行ってファイル名やフォルダ名を付与するなどという面倒な作業を行うことなくファイルを整理・管理することができ、利用者の利便性を向上させることができる。
【０１０４】
また、ファイル記録時又は作成時の状況を示す基本文字列、又は基本文字列と追加文字列との組合せを含む文字列情報が整理名として使用される（例えば、ファイル名やフォルダ名として付与される）ので、ファイル記録時又は作成時の状況を想起しやすい整理名で、画像ファイルを整理・管理することができる。
【０１０５】
ファイル名付与部４１は、文字列作成部３が作成した文字列１８を含む文字列を、ファイル名として付与するものである。フォルダ作成部４２は、文字列１８を含む文字列情報のフォルダ名を有するフォルダを作成し、作成したフォルダに、文字列１８を含む文字列情報のファイル名を有する撮影画像１９を格納するものである。
【０１０６】
なお、ファイル名付与部４１がファイル名を付与すること、及びフォルダ作成部４２がフォルダを作成することは、共に行なわれても良いし、一方だけが行なわれても良い。また、フォルダ作成部４２がフォルダを作成する場合には、ファイル名付与部４１は、以下で説明する自動ファイル割付など文字列１８以外の文字列情報を付与し、文字列１８は付与しないように構成することもできる。
【０１０７】
主従関係決定部（主従関係決定手段）４３は、状況情報１６の種類が複数存在している場合に、文字列作成部３が一の状況情報１６から作成した、基本文字列に対応するフォルダを主フォルダとし、該基本文字列及び文字列作成部３が他の状況情報１６から作成した追加文字列に対応するフォルダを従フォルダとすることで、それぞれのフォルダの主従関係を決定するものである。なお、詳細は以下で説明する。
【０１０８】
以上より、ユーザが、文字列１８を含む文字列情報のフォルダ名を有するフォルダを作成し、作成したフォルダに、該フォルダのフォルダ名に関連する撮影画像１９を格納してファイルを整理するという面倒な作業を行う必要がなくユーザの利便性をさらに向上させることができる。
【０１０９】
文字列追加部（文字列追加手段）４４は、例えば、撮影画像１９作成時の不具合を警告する撮影警告認識部９から警告を受けた場合に、予め記録部１に格納されており、不具合を示す所定の文字列情報である追加文字列を、基本文字列に追加するものである。
【０１１０】
これにより、撮影画像１９作成時に撮影警告認識部９による警告があると、不具合を示す文字列情報である追加文字列が、基本文字列に追加される。従って、撮影警告があった撮影画像１９と撮影警告の無かった撮影画像１９とを簡単に見分けることが可能となり、利用者の利便性が向上させることができる。
【０１１１】
入力装置５は、インターフェース部６を介して記録部１に入力された入力情報を記録させるためのものである。受信部７は、ユーザに配信されるコンテンツを受信し、記録部１に送るためのものである。
【０１１２】
操作部８は、ユーザが画像撮影装置５０にたいして各種操作を行なう部分であり、本実施形態においては、ユーザが入力情報を直接入力する場合、文字列作成規則１７の設定をあらかじめ行う場合、カメラ１３を使用して撮影画像１９を撮影する場合、ファイル整理部４のファイル名付与部４１に、ある撮影画像１９に対して文字列１８が複数存在する場合に、該複数の文字列１８の中から所望の文字列１８を選択する場合などを想定している。
【０１１３】
なお、操作部（選択手段）８は、このように、撮影画像１９に対して整理名（ファイル名・フォルダ名）が複数存在する場合に、該複数の整理名の中から所望の整理名を選択するものであり、ファイル整理部４は、操作部８によって選択された整理名を使用して撮影画像１９の整理・管理を行なうことが好ましい。
【０１１４】
以上によれば、整理名が複数存在する場合に、該複数の整理名の中から所望の文字列情報を選択することができ、利用者の利便性をさらに向上させることができる。
【０１１５】
撮影警告認識部９は、たとえばユーザが画像撮影を行った際に手ぶれが生じた場合などに、画像撮影装置５０の状態を検出した検出結果から装置の状態を「手ぶれが生じた」などと認識するものである。なお、検出結果としては、上述のように、撮影警告認識部９が内蔵するセンサから生じた電気信号（装置状態情報）などが考えられる。
【０１１６】
日時・位置情報管理部１０は、画像撮影装置５０が使用される日時情報や、画像撮影装置５０が使用される場所などの位置情報を記録部１に一時的に記録し、日時・位置情報を管理するものである。
【０１１７】
日時・位置情報認識部１１は、記録部１に記録されている日時・位置情報２１を読み出して画像撮影装置５０が使用される日時情報や、画像撮影装置５０が使用される場所などの位置情報を読み出し、情報特定部２にこれらの情報を通知するものである。表示部１２は、撮影画像１９に付与される文字列１８が複数存在する場合に、該複数の文字列１８の候補を表示したり、撮影画像１９を表示したりする部分である。
【０１１８】
カメラ（画像取得手段）１３は、画像の取得を行なう装置・素子の一例であり、撮影画像１９の撮影（取得）を行なうものである。画像データ処理部１４は、撮影された撮影画像１９を処理して記録部１に記録させるなどの撮影画像１９（画像データ）に関する処理を行なうものである。
【０１１９】
なお、画像の取得を行なう装置・素子の他の例としては、この他、例えば、ＶＴＲ（Video tape recorder）やＤＶＤ（Digital Versatile Disc）レコーダなどの画像録画装置が考えられ、また、画像データを取得・作成する方法としては、画像の「撮影」、及び画像の「録画」などの方法が考えられる。
【０１２０】
〔２．画像撮影装置の動作（スケジュール情報・撮影警告）〕
次に、図１〜図３、及び図５に基づき、図１に示す、情報特定部２によって特定された状況情報１６がスケジュール情報（予定情報）であり、撮影画像１９作成時に撮影警告認識部９による撮影警告（装置状態情報）があった場合の画像撮影装置５０の動作について説明する。
【０１２１】
なお、状況情報１６は、２種類以上の状況情報が特定される場合も考えられる。また、以下で説明するように、文字列作成部３は、情報特定部２が特定した状況情報１６から文字列１８を作成するためにあらかじめ設定された文字列作成規則１７にしたがって、文字列１８を作成することが好ましい。また、文字列作成規則１７には、所定の状況に至った（例えば、撮影画像１９作成時に撮影警告認識部９による撮影警告があった）場合に文字列追加部４４による文字列情報の追加を行なうか否かについての規則についても予め定めておくことが好ましい。
【０１２２】
また、以下で説明する画像撮影装置５０の動作の手順などは、文字列作成規則１７で、ユーザがあらかじめ設定できるようになっていることが好ましい。この場合、ユーザは、あらかじめ所望の文字列作成規則１７を設定しておくことが可能となるため、ユーザの利便性をさらに向上させることができる。以下、同様の説明は、省略する。
【０１２３】
図３に示す、ステップＳ２０１（以下、簡単のため「Ｓ２０１」のように記載する。）では、ユーザが画像の撮影準備に入り「スタート」となり、Ｓ２０２に進む。
【０１２４】
Ｓ２０２では、ユーザが、図１に示す操作部８を操作してカメラ１３を動作させることにより撮影画像１９が撮影され、Ｓ２０３に進む。
【０１２５】
Ｓ２０３では、ユーザが操作部８を操作して撮影画像１９の保存（記録）を指示すると「ＹＥＳ」となりＳ２０６に進む。一方、ユーザが撮影画像１９を保存しないことにした場合には、「Ｎｏ」となり、Ｓ２０４に進み、Ｓ２０４でユーザが終了を決定するとＳ２０５に進み「エンド」となる。Ｓ２０４でユーザがまだ操作を続ける場合には、Ｓ２０２に戻って再度撮影が行われる。
【０１２６】
Ｓ２０６では、ファイル整理部４が、まずファイルに「００１」「００２」などの番号を付与する「自動ファイル割付」を行ない、Ｓ２０７に進む。
【０１２７】
Ｓ２０７では、文字列作成部３が、記録部１に記録されている文字列作成規則１７を読み出し、Ｓ２０８に進む。ここでは、状況情報１６がスケジュール情報である場合を考え、文字列作成規則１７にはあらかじめ、文字列１８作成の処理手順が設定されているとする。
【０１２８】
Ｓ２０８では、情報特定部２が記録部１の入力・記録・受信情報１５からスケジュール情報を読み出し（状況情報の特定）、スケジュール情報を状況情報１６として記録部１に記録し、Ｓ２０９に進む。それゆえ、画像撮影装置５０のユーザが、ファイル記録時又は作成時の状況から文字列を考えるという面倒な作業をなくすことができる。
【０１２９】
Ｓ２０９では、図２に示す文字列追加部４４が、撮影警告認識部９から画像撮影時（ファイル記録時）に手ぶれなどの撮影警告があったかどうかを確認し、撮影警告があった場合には「ＹＥＳ」となり、Ｓ２１０に進む。一方、撮影警告がなかった場合には「Ｎｏ」となり、Ｓ２１３に進む。
【０１３０】
Ｓ２１０では、撮影警告があったので、図１に示す文字列作成部３が、スケジュール情報から所定の日時におけるユーザのスケジュール（予定情報）を示す文字列情報（例えば、「運動会」）から文字列（基本文字列）１８（例えば、「運動会」）を作成し、文字列追加部４４が、記録部１に予め格納（記録）されている所定の文字列（基本文字列に追加される所定の文字列情報）１８から、装置の状態を示す追加文字列（例えば「手ぶれ」）を読み出し、文字列（基本文字列）１８（例えば、「運動会」）に追加して（例えば、「運動会―手ぶれ」）、Ｓ２１１に進む。
【０１３１】
一方、Ｓ２１３では、撮影警告はなかったので、文字列作成部３が、スケジュール情報から所定の日時におけるユーザのスケジュール（予定情報）を示す文字列情報（例えば、「ディズニーランド」）から文字列（基本文字列）１８（例えば、「ディズニーランド」）を作成し、Ｓ２１１に進む。
【０１３２】
Ｓ２１１では、図２に示す、ファイル整理部４のファイル名付与部４１が、記録しようとしている撮影画像１９に作成した文字列１８を付与する。それゆえ、ユーザが文字列の入力作業を行ってファイル名を付与するという面倒な作業を行うことなく撮影画像１９を整理することができ、ユーザの利便性を向上させることができる。
【０１３３】
また、撮影画像１９には、ファイル記録時又は作成時の状況を示す文字列（基本文字列）１８及び／又は撮影警告などの装置の状態を示す所定の文字列情報である追加文字列がファイル名として付与されるので、ファイル記録時又は作成時の状況を想起しやすくすることができる。
【０１３４】
Ｓ２１２では、ファイル名付与部４１がフォルダ作成部４２に文字列１８が付与された撮影画像１９を送る。次に、フォルダ作成部４２では、文字列（基本文字列及び／又は追加文字列）１８を含む文字列を有するフォルダを作成し、作成したフォルダに、フォルダ名に関連する撮影画像１９を格納する。
【０１３５】
これにより、ユーザが、文字列１８を含む文字列情報のフォルダ名を有するフォルダを作成し、作成したフォルダに、該フォルダのフォルダ名に関連する撮影画像１９を格納してファイルを整理するという面倒な作業を行う必要がなくユーザの利便性をさらに向上させることができる。
【０１３６】
また、フォルダ作成部４２は、フォルダ作成部４２が作成したフォルダが複数存在する場合に、主従関係決定部４３に複数のそれぞれのフォルダ名を通知する。主従関係決定部４３は、該複数のフォルダを、文字列作成部３が、スケジュール情報から作成した所定の日時におけるユーザの予定を示す基本文字列に対応するフォルダ名を有するフォルダをルートフォルダ（主フォルダ）とし、該基本文字列と、文字列追加部４４が、撮影警告認識部９から撮影警告を受けて記録部１から読み出した画像撮影装置５０の状態を示す所定の追加文字列とを含む文字列情報に対応するフォルダ名を有するフォルダをサブフォルダ（従フォルダ）とすることで、それぞれのフォルダの主従関係を決定する。
【０１３７】
フォルダ作成部４２は、主従関係決定部４３が決定した主従関係にしたがって、ルートフォルダの中に該ルートフォルダに従属するサブフォルダを格納していくことで、前記複数のフォルダを階層化する。それゆえ、ユーザの所在を示すスケジュール情報と、装置の状態を示す撮影警告とが共に、状況情報１６である場合に、複数のフォルダが階層化されるので、ユーザが複数のフォルダを階層化して整理するという面倒な作業を行う必要がなく、ユーザの利便性をさらに向上させることができる。
【０１３８】
また、スケジュール情報のようにユーザに関するものをルートフォルダとし、撮影警告のように装置に関するものをサブフォルダとしているので、ユーザにとってファイルをわかりやすく整理することができる。
【０１３９】
次に、図５の（ａ）部分〜図５の（ｃ）部分に基づき、上述した場合におけるファイルの管理状態について説明する。
【０１４０】
図５の（ａ）部分は、「画像フォルダ」名称のフォルダの中に、「運動会」という基本文字列が付与された撮影画像１９と、「ディズニーランド」という基本文字列が付与された撮影画像１９とが格納されている状態を示す。なお、「運動会００１」の「００１」は撮影画像１９の記録を決定したときに、それぞれの撮影画像１９に自動的に割り当てられるものであり、このような動作のことを「自動ファイル割付」と呼んでいる。
【０１４１】
ここで、図５の（ａ）部分に示すように、基本文字列が「運動会」から「ディズニーランド」に変更される場合について説明する。当初のファイル名は「運動会００１」であるとする。このファイル名は、画像撮影装置５０がスケジュール情報（予定情報）に従って（連動して）自動的に付与しても良いし、ユーザが操作部８を介して入力した文字列情報又は複数の文字列１８から選択したものでも良い。
【０１４２】
ここで、変更が無い場合には、「運動会００２」〜「運動会００８」と続くが、ユーザが、操作部８を介して「ディズニーランド」と入力したら、「ディズニーランド００１」〜「ディズニーランド００９」と続く。
【０１４３】
このように、基本文字列は、一端ファイル名として付与されると、次に基本文字列が変更されるまで（所定の変更条件を満たすまで）、ファイル名として付与され続ける。言い換えると、基本文字列は、次の変更があるまで固定される（一端ファイル名を付与すると、次の変更まで同じファイルヘッダー（基本文字列）が連続する）。
【０１４４】
「次に基本文字列が変更されるまで」とは、例えば、ファイル記録時または作成時或いはファイル名称変更時などに基本文字列が変更されるような場合であればどのような場合において変更されても構わない。変更のタイミングなどは、必要に応じて適宜定めれば良い。例えば、操作部８を介してユーザによる文字列情報の入力があった場合には、他に優先してファイル名として付与することも考えられる。このような取り決めは、文字列作成規則１７に設定しておけば良いが、画像撮影装置５０の基本動作として設定されていても良い。
【０１４５】
なお、ここで、「ディズニーランド」を入力したら、「００１」の番号が自動的に割り当てられているが、例えば、「ディズニーランド９」と入力すれば、「運動会００８」の後は、「ディズニーランド００１」からではなく、「ディズニーランド００９」からはじまり、「ディズニーランド０１０」・「ディズニーランド０１１」と続くように構成しても良い。すなわち、文字列１８以外の自動的に割り当てられる番号などもユーザの入力により変更できるように構成しても良い。
【０１４６】
なお、図５の（ｂ）部分は、図５の（ａ）部分の場合のスケジュール情報の様子を示している。一方、図５の（ｃ）部分は、「運動会」、「運動会−手ブレ」、「ディズニーランド」というフォルダが作成され、それぞれのフォルダの中に、関連する撮影画像１９がそれぞれ格納されている状態を示している。なお、フォルダのフォルダ名とフォルダに格納されるファイルのファイル名は、図５の（ｃ）部分に示すように、一致していなくても良いし、一致させても良い。
【０１４７】
以上のように画像撮影装置５０は、撮影画像１９作成時の不具合を警告する撮影警告認識部（撮像警告手段）９を備え、追加文字列は、不具合を示す文字列情報であることが好ましい。
【０１４８】
これにより、撮影画像１９作成時に撮影警告認識部９による警告があると、不具合を示す文字列情報である追加文字列が、基本文字列に追加される。従って、撮影警告があった撮影画像１９と撮影警告の無かった撮影画像１９とを簡単に見分けることが可能となり、利用者の利便性が向上させることができる。
【０１４９】
また、以上によれば、画像撮影装置５０でファイル名・フォルダ名の入力作業等によって撮影画像１９の整理を行いつつ画像を撮影するという面倒な作業を行う必要がなく、画像撮影装置５０の利便性を向上させることができる。
【０１５０】
さらに、ユーザによる面倒な文字列の入力作業を可能な限り排除して、撮影画像１９に、ファイル記録時又は作成（撮影）時の状況を想起し易い文字列を含むファイル名を付与すること或いはフォルダにファイル記録時又は作成時の状況を想起し易い文字列１８を含むフォルダ名を付与することなどで、ファイル名・フォルダ名などの整理名を使用して撮影画像１９をわかりやすく整理してファイルの管理を行なうことのできる画像撮影装置５０（ファイル管理装置３０）などを提供することができる。
【０１５１】
なお、状況情報１６が、以上のように、スケジュール情報である場合には、ユーザが、スケジュール情報に従って行動している限り、所定の日時における利用者の行動を示す文字列１８を考えて入力作業を行いファイル名を付与するという面倒な作業をなくすことができる。
【０１５２】
また、撮影警告があったような場合には、ユーザが、撮影警告があった旨を示す文字列を考えて入力作業を行いファイル名を付与するという面倒な作業をなくすことができる。また、ユーザは、ファイル名に含まれる追加文字列から、画像撮影装置５０の状態を認識することもできる。
【０１５３】
〔３．画像撮影装置の動作（スケジュール情報・文字列候補の選択・ユーザ入力）〕
次に、図１、図２及び図４に基づき、図１に示す、情報特定部２によって特定された状況情報１６がスケジュール情報である場合において、複数の文字列１８の候補から文字列を選択したり、ユーザが直接文字列情報を入力したりする場合の画像撮影装置５０の動作について説明する。
【０１５４】
なお、〔３．画像撮影装置の動作（スケジュール情報・文字列候補の選択・ユーザ入力）〕において説明すること以外の構成は、〔１．画像撮影装置の構成〕及び〔２．画像撮影装置の動作（スケジュール情報・撮影警告）〕と同じである。また、説明の便宜上、〔１．画像撮影装置の構成〕及び〔２．画像撮影装置の動作（スケジュール情報・撮影警告）〕の図面に示した部材と同一の機能を有する部材については、同一の符号を付し、その説明を省略する。
【０１５５】
図４のフローチャートは、図３のフローチャートと同一のステップ番号が付与されている部分の動作は、〔２．画像撮影装置の動作（スケジュール情報・撮影警告）〕で説明した動作と同様なので、ここでは、説明を省略する。
【０１５６】
Ｓ３０１では、文字列作成部３が文字列作成規則１７を読み出し、Ｓ３０２に進む。なお、文字列作成規則１７には、スケジュール情報に従う、文字列の候補の選択、及びユーザ入力などの手順で動作する規則が定めらている。
【０１５７】
Ｓ３０２では、文字列作成部３が、記録部１の状況情報１６として記録されているスケジュール情報を読み出し、Ｓ３０３進む。
【０１５８】
Ｓ３０３では、文字列作成部３が、スケジュール情報から、所定の日時におけるユーザの予定を示す文字列１８を作成し、記録部１の文字列１８に記録して、Ｓ３０４に進む。なお、以下では、文字列１８が複数存在している場合を想定して説明する。
【０１５９】
Ｓ３０４では、複数の文字列１８の候補が、表示部１２によって表示され、Ｓ３０５に進む。
【０１６０】
Ｓ３０５では、ユーザが表示部１２に表示された複数の文字列１８の候補から操作部（選択手段）８を操作して選択した場合には、「ＹＥＳ」となり、Ｓ３０６に進む。一方、ユーザが表示部１２に表示された複数の文字列１８の候補から選択しない場合には「Ｎｏ」となり、Ｓ３０７に進む。Ｓ３０７では、ユーザが操作部８を操作して所望の文字列情報を直接入力し、Ｓ３０６に進む。
【０１６１】
Ｓ３０６では、ユーザが文字列１８を選択した場合には、図２に示す、ファイル整理部４は、操作部８によって選択された文字列１８を撮影画像１９にファイル名として付与する。以上より、文字列１８が複数存在する場合に、複数の文字列１８の中から所望の文字列１８を選択することができ、ユーザの利便性をさらに向上させることができる。
【０１６２】
また、以上より、ユーザによる面倒な文字列の入力作業を可能な限り排除して、撮影画像１９に、ファイル記録時又は作成（撮影）時の状況を想起し易い文字列を含むファイル名を付与すること或いはフォルダにファイル記録時又は作成時の状況を想起し易い文字列１８を含むフォルダ名を付与することなどで、ファイル名・フォルダ名などの整理名を使用して撮影画像１９をわかりやすく整理してファイルの管理を行なうことのできる画像撮影装置５０（ファイル管理装置３０）などを提供することができる。
【０１６３】
〔４．画像撮影装置の動作（ＱＲコード・文字列候補の選択・ユーザ入力）〕
次に、図１、図２、図６及び図７に基づき、図１に示す、情報特定部２によって特定された状況情報１６がＱＲコードである場合において、複数の文字列１８の候補から文字列を選択したり、ユーザが文字列情報を直接入力したりする場合の画像撮影装置５０の動作について説明する。
【０１６４】
図６のフローチャートは、図３及び図４のフローチャートと同一のステップ番号が付与されている部分の動作は、〔２．画像撮影装置の動作（スケジュール情報・撮影警告）〕及び〔３．画像撮影装置の動作（スケジュール情報・文字列候補の選択・ユーザ入力）〕で説明した動作と同様なので、ここでは、説明を省略する。
【０１６５】
Ｓ２０２で、ユーザが、カメラ１３を用いてユーザの所在を示すＱＲコードを撮影した場合には、Ｓ５０１に進み、Ｓ５０１では、文字列作成部３が文字列作成規則１７を読み出し、Ｓ５０２に進む。なお、文字列作成規則１７には、ＱＲコードに従う、文字列候補の選択、及びユーザ入力などの手順で動作する規則が定めらている。
【０１６６】
Ｓ５０２では、ユーザがカメラ１３を用いてＱＲコードを撮影した場合には、Ｓ５０３に進む。一方、ＱＲコードを撮影したのではなく、画像撮影を行った場合には、Ｓ２０３に進む。
【０１６７】
Ｓ５０３では、文字列作成部３が、ＱＲコードから、ユーザの所在を示す文字列を作成し、Ｓ５０４に進む。
【０１６８】
Ｓ５０４では、文字列作成部３が、作成したユーザの所在を示す文字列を記録部１の文字列１８に記録する。
【０１６９】
つぎに、図７に基づき、上述した場合におけるファイルの管理状態について説明する。
【０１７０】
図７に示すように、「ビックサイト」、「マルバツ展覧会」、「サンカクシカク講演会」、及び「ディズニーランド」のフォルダが作成されているが、これらはすべて、ＱＲコードからユーザの所在を示す文字列として作成されたものである。
【０１７１】
以上より、ＱＲコードからユーザの所在を示す文字列が作成されるので、ユーザが所在している場所由来の文字列を考えて入力作業を行いフォルダ名を付与するという面倒な作業をなくすことができる。
【０１７２】
また、以上より、ユーザによる面倒な文字列の入力作業を可能な限り排除して、撮影画像１９に、ファイル記録時又は作成（撮影）時の状況を想起し易い文字列を含むファイル名を付与すること或いはフォルダにファイル記録時又は作成時の状況を想起し易い文字列１８を含むフォルダ名を付与することなどで、ファイル名・フォルダ名などの整理名を使用して撮影画像１９をわかりやすく整理してファイルの管理を行なうことのできる画像撮影装置５０（ファイル管理装置３０）などを提供することができる。
【０１７３】
〔５．画像撮影装置の動作（ＲＦＩＤ使用履歴・文字列候補の選択・ユーザ入力）〕
次に、図１、図２、図８及び図９に基づき、図１に示す、情報特定部２によって特定された状況情報１６がＲＦＩＤ使用履歴である場合において、複数の文字列候補から文字列を選択したり、ユーザが直接文字列を入力したりする場合の画像撮影装置５０の動作について説明する。
【０１７４】
図８のフローチャートは、図３及び図４のフローチャートと同一のステップ番号が付与されている部分の動作は、〔２．画像撮影装置の動作（スケジュール情報・撮影警告）〕及び〔３．画像撮影装置の動作（スケジュール情報・文字列候補の選択・ユーザ入力）〕で説明した動作と同様なので、ここでは、説明を省略する。
【０１７５】
Ｓ７０１では、文字列作成部３が文字列作成規則１７を読み出し、Ｓ７０２に進む。なお、文字列作成規則１７には、ＲＦＩＤ使用履歴に従う、文字列候補の選択、及びユーザ入力などの手順で動作する規則が定めらている。
【０１７６】
また、図８では、Ｓ２０１の「スタート」から文字列作成規則１７を読み出しているが、このように画像撮影装置５０の電源をＯＮにした時に、文字列作成部３が、文字列作成規則１７を読み出すように構成しても良いし、必要なときに、適宜、文字列作成部３が、文字列作成規則１７を読み出すように構成しても良い。
【０１７７】
Ｓ７０２では、情報特定部２が、図示しないＲＦタグに、ＲＦＩＤ使用履歴の存在を確認し、ＲＦＩＤ使用履歴が存在する場合には、「ＹＥＳ」となり、ＲＦタグからＲＦＩＤ使用履歴を読み出し、読み出したＲＦＩＤ使用履歴をユーザの所在を示す所在情報として特定し、記録部１の状況情報１６に記録し、Ｓ７０３に進む。一方、ＲＦＩＤ使用履歴が存在しない場合には、Ｓ２０２に進む。
【０１７８】
Ｓ７０３では、文字列作成部３が、ＲＦＩＤ使用履歴から、ユーザの所在を示す文字列１８を作成し、Ｓ７０４に進む。
【０１７９】
Ｓ７０４では、文字列作成部３が、作成した文字列１８を記録部１の文字列１８に記録して、Ｓ２０２に進む。
【０１８０】
つぎに、図９に基づき、上述した場合におけるファイルの管理状態について説明する。
【０１８１】
図９に示すように、「東京駅」、「品川駅」、「浜松町駅」及び「舞浜駅」のフォルダが作成されているが、これらはすべて、ＲＦＩＤ使用履歴からユーザの所在を示す文字列として作成されたものである。
【０１８２】
以上より、ＲＦＩＤ使用履歴からユーザの所在を示す文字列が作成されるので、ユーザが所在している場所由来の文字列を考えて入力作業を行いファイル名を付与するという面倒な作業をなくすことができる。
【０１８３】
また、以上より、ユーザによる面倒な文字列の入力作業を可能な限り排除して、撮影画像１９に、ファイル記録時又は作成時の状況を想起し易い文字列１８をファイル名として付与することで、撮影画像１９をわかりやすく整理してファイルの管理を行なうことのできる画像撮影装置５０を提供することができる。
【０１８４】
〔６．画像撮影装置の動作（コンテンツに従う）〕
次に、図１、図２、図１０及び図１１に基づき、図１に示す、情報特定部２によって特定された状況情報１６が、画像撮影装置５０のユーザに配信されるテレビ放送番組（コンテンツ）である場合の画像撮影装置５０の動作について説明する。
【０１８５】
図１０のフローチャートは、図３のフローチャートと同一のステップ番号が付与されている部分の動作は、〔２．画像撮影装置の動作（スケジュール情報・撮影警告）〕で説明した動作と同様なので、ここでは、説明を省略する。
【０１８６】
Ｓ９０１では、文字列作成部３が文字列作成規則１７を読み出し、Ｓ９０２に進む。なお、文字列作成規則１７には、テレビ放送番組に従うという手順で動作する規則が定めらている。
【０１８７】
Ｓ９０２では、情報特定部２が、入力・記録・受信情報１５からテレビ放送番組を状況情報１６として特定し、記録部１に記録する。次に、文字列作成部３が、特定したテレビ放送番組から画像撮影装置５０のユーザに配信されるテレビ放送番組を示す文字列１８として番組名に相当する文字列情報を作成し、Ｓ９０３に進む。
【０１８８】
つぎに、図１１に基づき、上述した場合におけるファイルの管理状態について説明する。
【０１８９】
図１１に示すように、「ニュース」、「料理」、及び「天気予報」のフォルダが作成されているが、これらはすべて、テレビ放送番組から、ユーザに配信されるテレビ放送番組を示す文字列として作成されたものである。
【０１９０】
以上より、テレビ放送番組から、ユーザに配信されるテレビ放送番組を示す文字列が作成されるので、利用者が、装置の利用者に配信されるテレビ放送番組に関する文字列を考えて入力作業を行いファイル名を付与するという面倒な作業をなくすことができる。
【０１９１】
また、以上より、ユーザによる面倒な文字列の入力作業を可能な限り排除して、撮影画像１９に、ファイル記録時又は作成（撮影）時の状況を想起し易い文字列を含むファイル名を付与すること或いはフォルダにファイル記録時又は作成時の状況を想起し易い文字列１８を含むフォルダ名を付与することなどで、ファイル名・フォルダ名などの整理名を使用して撮影画像１９をわかりやすく整理してファイルの管理を行なうことのできる画像撮影装置５０（ファイル管理装置３０）などを提供することができる。
【０１９２】
〔７．画像撮影装置の動作（撮影モードに従う・特定種類変更・スケジュール情報）〕
次に、図１、図２、図１２及び図１３に基づき、図１に示す、情報特定部２によって特定された状況情報１６の種類が撮影モード（装置状態情報、所定時間の経過前又は地理的範囲の変化前に特定した種類の状況情報）であった場合において、日時・位置情報認識部１１が、日付の変更（所定時間の経過）又はエリアの変更（地理的範囲の変化）を認識した場合に、あらかじめ定められた他の状況情報１６の種類であるスケジュール情報（予定情報）に変更し直す場合の画像撮影装置５０の動作について説明する。
【０１９３】
図１２のフローチャートは、図３のフローチャートと同一のステップ番号が付与されている部分の動作は、〔２．画像撮影装置の動作（スケジュール情報・撮影警告）〕で説明した動作と同様なので、ここでは、説明を省略する。
【０１９４】
Ｓ１０１では、文字列作成部３が文字列作成規則１７を読み出し、Ｓ１０２に進む。なお、文字列作成規則１７には、撮影モードに従う、特定種類変更、及びスケジュール情報に従うという手順で動作する規則が定めらている。
【０１９５】
Ｓ１０２では、情報特定部２が、日時・位置情報認識部１１により、日付又はエリアの変更を認識しているか否かについて確認し、Ｓ１０３に進む。
【０１９６】
Ｓ１０３では、情報特定部２が、日時・位置情報認識部１１により、日付又はエリアの変更を認識していなかったことを確認した場合には、「Ｎｏ」となり、Ｓ１０４に進む。一方、日時・位置情報認識部１１により、日付又はエリアの変更を認識していたことを確認した場合には、「ＹＥＳ」となり、Ｓ１０７に進む。
【０１９７】
Ｓ１０４では、情報特定部２は、日付又はエリアの変更は無いので、そのまま状況情報１６として撮影モードを特定し、Ｓ１０５に進む。その後、Ｓ１０５では、文字列作成部３が、画像撮影装置５０の状態を示す文字列１８として、例えば、「手ブレ防止」を作成し、Ｓ１０６に進み、Ｓ１０６でファイル名付与部４１が撮影画像１９に、ファイル名として「手ブレ防止」を付与する等を行い、Ｓ２１２に進む。
【０１９８】
一方、Ｓ１０７では、情報特定部２は、日付又はエリアの変更があったので、日付又はエリアの変更前に特定した種類の状況情報１６である撮影モードを、あらかじめ定められた他の種類の状況情報１６であるスケジュール情報に特定し直し、記録部１にスケジュール情報を記録して、Ｓ１０６に進む。
【０１９９】
Ｓ１０８では、文字列作成部３が、記録部１に記録されているスケジュール情報から、所定の日時におけるユーザのスケジュール（予定情報）を示す文字列１８（例えば、「運動会」）を作成し、Ｓ１０６に進む。
【０２００】
Ｓ１０６では、撮影画像１９に、作成した文字列１８を付与してＳ２１２に進む。
【０２０１】
つぎに、図１３に基づき、上述した場合のうち、状況情報１６が撮影モードである場合におけるファイルの管理状態について説明する。
【０２０２】
図１３に示すように、「パノラマ」、「手ブレ防止」、及び「夜景」のフォルダが作成されているが、これらはすべて、撮影モードから、画像撮影装置５０の状態を示す文字列１８が作成された場合を示すものである。
【０２０３】
以上のように、画像撮影装置５０は、状況情報１６が複数種類存在する場合において、装置が使用される地理的範囲の変化を認識する日時・位置情報認識部（地理的範囲認識手段）１１を備え、情報特定部２は、日時・位置情報認識部１１が、地理的範囲の変化を認識した場合に、地理的範囲の変化前に特定した種類の状況情報１６を、あらかじめ定められた他の種類の状況情報１６に特定し直すことが好ましい。
【０２０４】
前記構成によれば、日時・位置情報認識部１１は、装置が使用される地理的範囲の変化を認識し、情報特定部２は、地理的範囲の変化を認識した場合に、地理的範囲の変化前に特定した種類の状況情報１６を、あらかじめ定められた他の種類の状況情報１６に特定し直す。
【０２０５】
それゆえ、装置が使用される地理的範囲が変化した場合に、所望の種類の状況情報１６に特定し直すことができ、利用者の利便性をさらに向上させることができる。
【０２０６】
また、本発明の画像撮影装置５０は、状況情報１６が複数種類存在する場合において、所定時間の経過を認識する日時・位置情報認識部１１を備え、情報特定部２は、日時・位置情報認識部１１が、所定時間の経過を認識した場合に、所定時間の経過前に特定した種類の状況情報１６から、あらかじめ定められた他の種類の状況情報１６に特定し直すことが好ましい。
【０２０７】
前記構成によれば、日時・位置情報認識部１１は、所定時間の経過を認識し、情報特定部２は、所定時間の経過を認識した場合に、所定時間の経過前に特定した種類の状況情報１６から、あらかじめ定められた他の種類の状況情報１６に特定し直す。
【０２０８】
それゆえ、所定時間が経過した場合に、所望の種類の状況情報１６に特定し直すようにすることができ、利用者の利便性をさらに向上させることができる。
【０２０９】
以上まとめれば、所定時間が経過した場合又は装置が使用される地理的範囲が変化した場合に、所望の種類の状況情報１６（上述の場合ではスケジュール情報）に特定し直すようにすることができ、ユーザの利便性をさらに向上させることができる。
【０２１０】
また、以上より、ユーザによる面倒な文字列の入力作業を可能な限り排除して、撮影画像１９に、ファイル記録時又は作成（撮影）時の状況を想起し易い文字列を含むファイル名を付与すること或いはフォルダにファイル記録時又は作成時の状況を想起し易い文字列１８を含むフォルダ名を付与することなどで、ファイル名・フォルダ名などの整理名を使用して撮影画像１９をわかりやすく整理してファイルの管理を行なうことのできる画像撮影装置５０（ファイル管理装置３０）などを提供することができる。
【０２１１】
なお、本発明は、上述した画像撮影装置の例に限定されるものではなく、請求項に示した範囲で種々の変更が可能であり、〔発明を実施するための最良の形態〕の欄における異なる項目にそれぞれ開示された技術的手段を適宜組み合わせて得られる実施形態についても本発明の技術的範囲に含まれる。
【０２１２】
最後に、画像撮影装置５０（ファイル管理装置３０）の各ブロック、特に情報特定部２、文字列作成部３、ファイル整理部４（ファイル名付与部４１、フォルダ作成部４２、及び主従関係決定部４３、及び文字列追加部４４）は、ハードウェアロジックによって構成してもよいし、次のようにＣＰＵを用いてソフトウェアによって実現してもよい。
【０２１３】
すなわち、画像撮影装置５０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像撮影装置５０の制御プログラムのプログラムコード（実行形式プログラム、中間コードプログラム、ソースプログラム）をコンピュータで読み取り可能に記録した記録媒体を、上記画像撮影装置５０に供給し、そのコンピュータ（又はＣＰＵやＭＰＵ）が記録媒体に記録されているプログラムコードを読み出し実行することによっても、達成可能である。
【０２１４】
上記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２１５】
また、画像撮影装置５０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２１６】
なお、本発明のファイル管理装置（画像記録装置）は、ファイルを記録するファイル記録部を備え、該ファイル記録部に記録されるファイルの管理を行なうファイル管理装置であって、ファイル記録時又は作成時の状況を示す状況情報を特定する情報特定手段と、前記状況情報特定手段が特定した状況情報から、前記ファイル記録時又は作成時の状況の状況を示す文字列情報を作成する文字列作成手段と、前記文字列作成手段が作成した文字列情報を、ファイル名として付与するファイル名付与手段（整理名設定手段・ファイル管理手段）とを備えていても良い。
【０２１７】
また、本発明のファイル管理装置の制御方法は、ファイルを記録するファイル記録部を備え、該ファイル記録部に記録されるファイルの管理を行なうファイル管理装置の制御方法であって、ファイル記録時又は作成時の状況を示す状況情報を特定する情報特定ステップと、前記状況情報特定ステップで特定した状況情報から、前記ファイル記録時又は作成時の状況の状況を示す文字列情報を作成する文字列作成ステップと、前記文字列作成ステップで作成した文字列情報を、ファイル名として付与するファイル名付与ステップ（整理名設定ステップ・ファイル管理ステップ）とを含んでいても良い。
【０２１８】
前記構成又は方法によれば、情報特定手段又は情報特定ステップでは、ファイル記録時又は作成時の状況を示す状況情報を特定する。また、文字列作成手段又は文字列作成ステップでは、特定した状況情報からファイル記録時又は作成時の状況を示す文字列情報を作成する。それゆえ、利用者がファイル記録時又は作成時の状況から文字列を考えるという面倒な作業をなくすことができる。
【０２１９】
また、ファイル名付与手段又はファイル名付与手段では、文字列作成手段が作成した文字列情報を、ファイル名として付与する。それゆえ、利用者が文字列の入力作業を行ってファイル名を付与するという面倒な作業を行うことなくファイルを整理することができ、利用者の利便性を向上させることができる。
【０２２０】
またファイルには、ファイル記録時又は作成時の状況を示す文字列情報がファイル名として付与されるので、ファイル記録時又は作成時の状況を想起しやすくすることができる。
【０２２１】
以上より、利用者による面倒な文字列の入力作業を可能な限り排除して、ファイルに、ファイル記録時又は作成時の状況を想起し易い文字列をファイル名として付与することで、ファイルをわかりやすく整理してファイルの管理を行なうことのできるファイル管理装置などを提供することができる。
【０２２２】
また、本発明のファイル管理装置は、前記構成に加えて、前記状況情報は、利用者の所在を示す所在情報であっても良い。前記構成によれば、利用者が所在している場所由来の文字列を考えて入力作業を行いファイル名を付与するという面倒な作業をなくすことができる。
【０２２３】
また、本発明のファイル管理装置は、前記構成に加えて、前記状況情報は、所定の日時における利用者の予定を示す予定情報であっても良い。前記構成によれば、利用者が、予定情報に従って行動している限り、所定の日時における利用者の行動を示す文字列を考えて入力作業を行いファイル名を付与するという面倒な作業をなくすことができる。
【０２２４】
また、本発明のファイル管理装置は、前記構成に加えて、前記状況情報は、装置の利用者に配信されるコンテンツであっても良い。前記構成によれば、利用者が、装置の利用者に配信されるコンテンツに関する文字列を考えて入力作業を行いファイル名を付与するという面倒な作業をなくすことができる。
【０２２５】
また、本発明のファイル管理装置は、前記構成に加えて、装置の状態を示す装置状態情報であっても良い。前記構成によれば、利用者が、装置の状態から文字列を考えて入力作業を行いファイル名を付与するという面倒な作業をなくすことができる。また、利用者は、ファイル名から装置の状態を認識することもできる。
【０２２６】
また、本発明の画像撮影装置は、前記ファイル管理装置を備えた画像撮影装置であって、前記ファイルは、画像ファイルであっても良い。
【０２２７】
前記構成によれば、利用者は、画像撮影装置でファイル名の入力作業等によって画像ファイルの整理を行いつつ画像を撮影するという面倒な作業を行う必要がなく、画像撮影装置の利便性を向上させることができる。
【０２２８】
また、前記ファイル管理装置の各手段としてコンピュータを動作させるためのファイル管理装置の制御プログラムも本発明の範疇に含まれる。
【０２２９】
また、前記ファイル管理装置の制御プログラムを記録したコンピュータ読み取り可能な記録媒体も本発明の範疇に含まれる。
【０２３０】
また、本発明の画像記録装置は、画像データを取得する画像取得手段と、該画像取得手段が取得した画像データの画像ファイルを記録可能なファイル記録部とを備える画像記録装置であって、前記画像ファイルを整理して記録するために用いる整理名として使用可能な文字列情報を取得する文字列取得手段と、該文字列取得手段が取得した文字列情報から、所定の条件が変更されるまで同一の文字列情報を含む文字列を、前記整理名として設定する整理名設定手段とを備えていても良い。
【０２３１】
また、本発明の画像記録装置は、前記構成に加えて、前記文字列取得手段が、複数の文字列情報を取得し、前記整理名を、前記整理名設定手段が整理名として設定している文字列情報から他の文字列情報に変更する整理名変更手段を備えていても良い。
【０２３２】
また、本発明の画像記録装置は、前記構成に加えて、装置が使用される地理的範囲の変化を認識する地理的範囲認識手段を備え、前記整理名変更手段は、前記地理的範囲認識手段が、前記地理的範囲の変化を認識した場合に、前記整理名を変更しても良い。
【０２３３】
また、本発明の画像記録装置は、前記構成に加えて、所定時間の経過を認識する時間経過認識手段を備え、前記整理名変更手段は、前記時間経過認識手段が、前記所定時間の経過を認識した場合に、前記整理名を変更しても良い。
【０２３４】
また、本発明の画像記録装置は、前記構成に加えて、所定の日時における装置の利用者の予定を示す文字列情報があらかじめ記録されている場合において、前記文字列取得手段は、前記所定の日時に、前記利用者の予定を示す文字列情報を取得し、前記整理名変更手段は、前記文字列取得手段が、前記利用者の予定を示す文字列情報を取得した場合に、前記整理名を、前記整理名設定手段が整理名として設定している文字列情報から該利用者の予定を示す文字列情報に変更しても良い。
【０２３５】
また、本発明の画像記録装置は、前記構成に加えて、前記整理名に所定の文字列情報を追加する文字列追加手段を備えていても良い。
【０２３６】
また、本発明の画像記録装置は、前記構成に加えて、前記画像取得手段は、被写体を撮像する撮像手段であり、該撮像手段は、複数の撮像モードを設定可能である場合において、前記文字列追加手段によって追加される所定の文字列情報は、前記撮像手段が前記被写体を撮像する場合に設定する撮影モードの内容を示す文字列情報であり、前記文字列追加手段は、前記撮像モードが設定されている場合に、該所定の文字列情報を前記整理名に追加しても良い。
【０２３７】
また、本発明の画像記録装置は、前記構成に加えて、前記画像取得手段は、被写体を撮像する撮像手段であり、前記画像データを撮像する場合における不具合を警告する撮像警告手段を備え、前記文字列追加手段によって追加される所定の文字列情報は、前記不具合を示す文字列情報であり、前記文字列追加手段は、前記撮像警告手段による警告があった場合に、該不具合を示す文字列情報を前記整理名に追加しても良い。
【０２３８】
また、本発明の画像記録装置は、前記構成に加えて、前記整理名は、前記画像ファイルに付与されるファイル名であっても良い。
【０２３９】
また、本発明の画像記録装置は、前記構成に加えて、前記整理名は、前記画像ファイルを格納するフォルダに付与されるフォルダ名であっても良い。
【０２４０】
また、本発明の画像記録装置は、前記構成に加えて、前記フォルダが複数存在する場合に、該複数のフォルダを、前記整理名を有するフォルダを主フォルダとし、前記整理名及び前記追加文字列を有するフォルダを従フォルダとすることで、それぞれのフォルダの主従関係を決定する主従関係決定手段と、前記主従関係決定手段が決定した主従関係にしたがって、前記主フォルダの中に該主フォルダに従属する従フォルダを格納していくことで、前記複数のフォルダを階層化するフォルダ階層化手段とを備えていても良い。
【０２４１】
また、本発明の画像記録装置は、前記構成に加えて、前記所定の条件は、前記文字列取得手段による文字列情報の取得であっても良い。
【０２４２】
また、本発明の画像記録装置は、前記構成に加えて、前記所定の条件は、前記画像取得手段による前記画像データの取得であっても良い。
【０２４３】
また、本発明の画像記録装置は、前記構成に加えて、前記所定の条件は、前記画像ファイルの記録であっても良い。
【０２４４】
また、前記画像記録装置の各手段としてコンピュータを動作させるための画像記録装置の制御プログラムも本発明の範疇に含まれる。
【０２４５】
また、前記画像記録装置の制御プログラムを記録したコンピュータ読み取り可能な記録媒体も本発明の範疇に含まれる。
【０２４６】
また、本発明の画像記録装置の制御方法は、画像データを取得する画像取得手段と、該画像取得手段が取得した画像データの画像ファイルを記録可能なファイル記録部とを備える画像記録装置により実行される画像記録方法であって、前記画像ファイルを整理して記録するために用いられる整理名として使用可能な文字列情報を取得する文字列取得ステップと、前記文字列取得ステップで取得した文字列情報から、所定の条件を満たすまで同一の文字列情報を、前記整理名として設定する整理名設定ステップとを実行しても良い。
【０２４７】
また、本発明の撮影装置（画像記録装置）は、被写体を撮影する撮像手段と撮像ファイルを記録するファイル記録部を備え、該ファイル記録部に記録されるファイルの管理を行なえる撮影装置であって、ファイル名称を入力する操作部とファイル記録時又は作成時或いはファイル名称変更時に次の変更時まで同一文字列情報を作成する文字列作成手段と、前記文字列作成手段が作成した文字列情報に所定の文字列作成規則に従って、文字列を追加したファイル名称を作成するファイル名付与手段（整理名設定手段・ファイル管理手段）とを備えていても良い。
【０２４８】
また、本発明の画像記録装置は、画像データを取得する画像取得手段と、該画像取得手段が取得した画像データの画像ファイルを記録可能なファイル記録部とを備える画像記録装置であって、画像ファイル記録時又は作成時の状況を示す状況情報を特定する情報特定手段と、前記情報特定手段によって特定された状況情報から、画像ファイル記録時又は作成時の状況を示し次に変更されるまで固定して使用される基本文字列と、所定の条件を満たした場合に前記基本文字列に追加される追加文字列とを作成する文字列作成手段と、
前記文字列作成手段によって作成された、前記基本文字列又は、前記基本文字列及び前記追加文字列を含む文字列情報を、前記画像ファイルを整理して記録するために用いる整理名として使用して画像ファイルの管理を行なうファイル管理手段とを備えるていても良い。
【０２４９】
また、本発明の画像記録方法は、画像データを取得する画像取得手段と、該画像取得手段が取得した画像データの画像ファイルを記録可能なファイル記録部とを備える画像記録装置によって実行される画像記録方法であって、画像ファイル記録時又は作成時の状況を示す状況情報を特定する情報特定ステップと、前記情報特定ステップによって特定された状況情報から、画像ファイル記録時又は作成時の状況を示し次に変更されるまで固定して使用される基本文字列と、所定の条件を満たした場合に前記基本文字列に追加される追加文字列とを作成する文字列作成ステップと、前記文字列作成ステップによって作成された、前記基本文字列又は、前記基本文字列及び前記追加文字列を含む文字列情報を、前記画像ファイルを整理して記録するために用いる整理名として使用して画像ファイルの管理を行なうファイル管理ステップとを実行しても良い。
【０２５０】
前記構成又は方法においては、画像記録装置は、画像データを取得する画像取得手段と、該画像取得手段が取得した画像データの画像ファイルを記録可能なファイル記録部とを備える。なお、画像取得手段の例としては、例えば、カメラ、ＶＴＲ（Video tape recorder）、及びＤＶＤ（Digital Versatile Disc）などが考えられ、また、画像データを取得・作成する方法としては、画像の「撮影」、及び画像の「録画」などの方法が考えられる。また、ファイル記録部は、画像ファイルを記録可能なものであれば、どのような装置、回路、素子などを採用しても良い。
【０２５１】
また、前記構成又は方法によれば、情報特定手段又は情報特定ステップでは、ファイル記録時又は作成時の状況を示す状況情報を特定する。
【０２５２】
この状況情報の例としては、利用者の所在を示す所在情報、所定の日時における利用者の予定を示す予定情報、装置の利用者に配信されるコンテンツ、及び装置の状態を示す装置状態情報などの各種情報が考えられる。
【０２５３】
例えば、所在情報を利用すれば、利用者が所在している場所由来の文字列を考えて入力作業を行うという面倒な作業をなくすことができる。予定情報を利用すれば、予定情報に従って行動している限り、所定の日時における利用者の行動を示す文字列を考えて入力作業を行うという面倒な作業をなくすことができる。
【０２５４】
配信されるコンテンツを利用すれば、装置の利用者に配信されるコンテンツに関する文字列を考えて入力作業を行うという面倒な作業をなくすことができる。装置状態情報を利用すれば、装置の状態から文字列を考えて入力作業を行うという面倒な作業をなくすことができる。また、利用者は、装置状態情報から装置の状態を認識することもできる。
【０２５５】
また、文字列作成手段又は文字列作成ステップでは、画像ファイル記録時又は作成時の状況を示し次に変更されるまで固定して使用される基本文字列と、所定の条件を満たした場合に前記基本文字列に追加される追加文字列とを作成する。
【０２５６】
それゆえ、利用者がファイル記録時又は作成時の状況から文字列を考え、キーボード等で入力するなどという面倒な作業をなくすことができる。
【０２５７】
ここで、「固定して使用される」とは、例えば、次に変更されるまで同一の基本文字列を作成し続けるということである。
【０２５８】
また、「次に変更されるまで」とは、例えば、ファイル記録時または作成時或いはファイル名称変更時などに基本文字列が変更されるような場合であればどのような場合において変更されても構わない。変更のタイミングなどは、必要に応じて適宜定めれば良い。
【０２５９】
さらに、「所定の条件を満たした場合」とは、例えば、以下で説明するように、撮影警告（警告）があった場合や、撮影が所定の撮影モードで行なわれた場合などが想定される。
【０２６０】
また、ファイル管理手段又はファイル管理ステップでは、文字列作成手段によって作成された、基本文字列、又は、基本文字列及び追加文字列を含む文字列情報を、前記画像ファイルを整理して記録するために用いる整理名として使用して画像ファイルの管理を行なう。
【０２６１】
ここで、「基本文字列又は、基本文字列及び追加文字列を含む文字列情報を整理名として使用して画像ファイルの管理を行なう」とは、例えば、関連する画像ファイルにファイル名を付与することで、画像ファイルを整理・管理すること、或いは、作成したフォルダにフォルダ名を付与し、該フォルダに関連する画像ファイルを格納することで、画像ファイルを整理・管理すること、該フォルダを階層化することで画像ファイルを整理・管理することなどが考えられる。
【０２６２】
なお、「基本文字列又は、基本文字列及び追加文字列を含む文字列情報」としているのは、ファイル名やフォルダ名などの整理名には、例えば、拡張子などの基本文字列・追加文字列以外の文字列情報が含まれている場合が想定されるからである。
【０２６３】
以上によれば、利用者が文字列の入力作業を行ってファイル名やフォルダ名を付与するなどという面倒な作業を行うことなくファイルを整理・管理することができ、利用者の利便性を向上させることができる。
【０２６４】
また、ファイル記録時又は作成時の状況を示す基本文字列、又は基本文字列と追加文字列との組合せを含む文字列情報が整理名として使用される（例えば、ファイル名やフォルダ名として付与される）ので、ファイル記録時又は作成時の状況を想起しやすい整理名で、画像ファイルを整理・管理することができる。
【０２６５】
以上より、利用者による面倒な文字列の入力作業を可能な限り排除して、ファイルに、ファイル記録時又は作成時の状況を想起し易い文字列を含むファイル名を付与すること或いはフォルダにファイル記録時又は作成時の状況を想起し易い文字列を含むフォルダ名を付与することなどで、ファイル名・フォルダ名などの整理名を使用してファイルをわかりやすく整理してファイルの管理を行なうことのできる画像記録装置などを提供することができる。
【産業上の利用可能性】
【０２６６】
本発明は、画像ファイルや画像ファイルを格納するフォルダを取り扱う様々な電子機器等に広く適用できる。具体的には、ファイルやフォルダ形式でデータを記録する記録部を有する画像撮影装置や、画像録画装置、及び携帯端末などに適用できる。また、パーソナル・コンピュータなどの汎用機や、コンピュータをネットワーク化したインターネット等にも適用できる。
【図面の簡単な説明】
【０２６７】
【図１】本発明における画像撮影装置の実施の一形態を示す機能ブロック図である。
【図２】上記画像撮影装置におけるファイル整理部の構成を示す機能ブロック図である。
【図３】上記画像撮影装置の動作を示すフローチャートである。
【図４】上記画像撮影装置の動作を示すフローチャートである。
【図５】スケジュール情報・撮影警告に基づくファイル・フォルダの一例を示す図である。
【図６】上記画像撮影装置の動作を示すフローチャートである。
【図７】ＱＲコード撮影に基づくファイル・フォルダの一例を示す図である。
【図８】上記画像撮影装置の動作を示すフローチャートである。
【図９】ＲＦＩＤ使用履歴に基づくファイル・フォルダの一例を示す図である。
【図１０】上記画像撮影装置の動作を示すフローチャートである。
【図１１】データ放送より入手した文字列に基づくファイル・フォルダの一例を示す図である。
【図１２】上記画像撮影装置の動作を示すフローチャートである。
【図１３】撮影モードの種別に基づくファイル・フォルダの一例を示す図である。
【符号の説明】
【０２６８】
１  記録部（ファイル記録部）
２  情報特定部（情報特定手段、文字列取得手段）
３  文字列作成部（文字列作成手段、文字列取得手段）
４  ファイル整理部（ファイル管理手段）
５  入力装置
６  インターフェース部
７  受信部
８  操作部（選択手段）
９  撮影警告認識部（撮影警告手段）
１０  日時・位置情報管理部（地理的範囲認識手段、及び時間経過認識手段）
１１  日時・位置情報認識部（地理的範囲認識手段、及び時間経過認識手段）
１２  表示部
１３  カメラ（画像取得手段）
１４  画像データ処理部
１５  入力・記録・受信情報（状況情報、所在情報、予定情報）
１６  状況情報（状況情報、所在情報、予定情報）
１７  文字列作成規則
１８  文字列（基本文字列、追加文字列、文字列情報、ファイル名、及びフォルダ名）
１９  撮影画像（画像ファイル）
２０  ファイル・フォルダ（画像ファイル、フォルダ、主フォルダ、従フォルダ）
２１  日時・位置情報
３０  ファイル管理装置（画像記録装置）
５０  画像撮影装置（画像記録装置）
４１  ファイル名付与部
４２  フォルダ作成部（フォルダ作成手段）
４３  主従関係決定部（主従関係決定手段）
４４  文字列追加部（文字列追加手段）
【図１】
0004796022.tif 000002
【図２】
0004796022.tif 000003
【図３】
0004796022.tif 000004
【図４】
0004796022.tif 000005
【図５】
0004796022.tif 000006
【図６】
0004796022.tif 000007
【図７】
0004796022.tif 000008
【図８】
0004796022.tif 000009
【図９】
0004796022.tif 000010
【図１０】
0004796022.tif 000011
【図１１】
0004796022.tif 000012
【図１２】
0004796022.tif 000013
【図１３】
0004796022.tif 000014